(57)【要約】【課題】ブラインドサッカーのプレイエリアのサイドラインに沿って後傾設置される枠本体の背面側に設けられた脚枠体を折畳可能な折畳機構を設けてなるから、ブラインドサッカーのプレイエリアのサイドラインにフェンスを設置して使用することになると共に不使用時において折畳機構により脚枠体を折畳むことができ、不使用時の保管や運搬の利便性を高めることができる。【解決手段】ブラインドサッカーのプレイエリアのサイドラインに沿って後傾設置される枠本体１と、枠本体の前面側に設けられたフェンス板２と、枠本体の背面側に設けられた脚枠体３とからなり、脚枠体を折畳可能な折畳機構４を設けてなる。【選択図】図１
2006192173.tif 000002
【特許請求の範囲】
【請求項１】
ブラインドサッカーのプレイエリアのサイドラインに沿って後傾設置される枠本体と、該枠本体の前面側に設けられたフェンス板と、該枠本体の背面側に設けられた脚枠体とからなり、上記脚枠体を折畳可能な折畳機構を設けてなることを特徴とするブラインドサッカ用ーフェンス。
【請求項２】
上記脚枠体は、上記枠本体の背面側に設けた縦枢着部を中心として左右方向に回動自在に枢着された縦杆部及び該縦杆部の下端部から後方に突出する接地杆部からなる、少なくとも左右一対の脚枠からなることを特徴とする請求項１記載のブラインドサッカー用フェンス。
【請求項３】
上記縦杆部及び接地杆部は丸パイプからなり、該接地杆部の後端部にそり状の上向折曲部を形成してなることを特徴とする請求項２記載のブラインドサッカー用フェンス。
【請求項４】
上記各脚枠の間に脚枠を起立固定可能な掛杆を着脱自在に架設してなることを特徴とする請求項２又は３記載のブラインドサッカー用フェンス。
【請求項５】
上記フェンス板と上記枠本体とを相互に着脱可能な一対の面ファスナ材により着脱自在に設けてなることを特徴とする請求項１〜４のいずれか１項に記載のブラインドサッカー用フェンス。
【請求項６】
上記フェンス板は所定の反発力をもつと共にボールや競技者の衝突時に所定の音を発生する合成樹脂性ボードからなることを特徴とする請求項１〜５のいずれか１項に記載のブラインドサッカー用フェンス。
【請求項７】
上記フェンス板の接地面の法線に対する後傾角度は約１５度であることを特徴とする請求項１〜６のいずれか１項に記載のブラインドサッカー用フェンス。
【請求項８】
上記枠本体の周枠材の前面に上記一方の面ファスナー材を囲繞止着し、上記フェンス板の裏面の上記一方の面ファスナー材に対向する位置に他方の面ファスナ材を止着してなることを特徴とする請求項４〜７のいずれか１項に記載のブラインドサッカー用フェンス。
【発明の詳細な説明】
【技術分野】
【０００１】
本発明はブラインドサッカーのプレイエリアのサイドラインに設けられるフェンスに関するものである。
【背景技術】
【０００２】
このブラインドサッカーは、国際視覚障害者スポーツ協会によってルールが定められ、プレーヤーはフットサルと同じ５人制で、キーパー以外のフィールドプレーヤーはアイパッチとアイマスクで目隠しをし、視力上の公平を保ち、キーパーには弱視者または晴眼者を置き、ボールにはフットサルで用いるものに鉛の鈴を入れ、プレーヤーはこのボールが転がる時の音を頼りにボールを追い、サイドライン上にはそれぞれのチームの監督が、相手ゴールの裏にはコーラーと呼ばれるコーチが位置し、フィールドプレーヤーを声で誘導し、プレーヤーがボールをキープしている選手に近づくときには、チームで決めた特定の掛け声を掛けなければいけないことが決められ、視覚障害者が健常者に近いサッカーを行うことが可能となっていると共に安全性を考慮したサッカースポーツとなっている。
【０００３】
また、このプレイエリアの大きさは、サイド４０ｍ、エンド２０ｍの長方形を基本とし、サイドラインには高さ１１０ｃｍ程度のフェンスを複数個設置し、ボールがこのサイドラインのフェンスを越えるか、エンドラインを割らない限り、プレーは継続されるので、スムーズに試合を進めることができるようになっている。
【特許文献１】特開平９−１９５２７号公報
【発明の開示】
【発明が解決しようとする課題】
【０００４】
しかしながら上記従来構造のフェンスは、上記サイドラインに沿って後傾設置される枠本体の前面側にフェンス板が一体的に取り付けられ、かつ、枠本体の背面側には脚枠体が一体的に取り付けられた構造となっており、フェンス板はサイドラインに複数個配置されるから、フェンスは比較的嵩張る大きさであること及び複数個のフェンスが必要となることもあって、不使用時の保管や運搬の利便性が低下しているという不都合を有している。
【課題を解決するための手段】
【０００５】
本発明はこれらの不都合を解決することを目的とするもので、本発明のうちで、請求項１記載の発明は、ブラインドサッカーのプレイエリアのサイドラインに沿って後傾設置される枠本体と、該枠本体の前面側に設けられたフェンス板と、該枠本体の背面側に設けられた脚枠体とからなり、上記脚枠体を折畳可能な折畳機構を設けてなることを特徴とするブラインドサッカー用フェンスである。
【０００６】
又、請求項２記載の発明は、上記脚枠体は、上記枠本体の背面側に設けた縦枢着部を中心として左右方向に回動自在に枢着された縦杆部及び該縦杆部の下端部から後方に突出する接地杆部からなる、少なくとも左右一対の脚枠からなることを特徴とするものであり、又、請求項３記載の発明は、上記縦杆部及び接地杆部は丸パイプからなり、該接地杆部の後端部にそり状の上向折曲部を形成してなることを特徴とするものであり、又、請求項４記載の発明は、上記各脚枠の間に脚枠を起立固定可能な掛杆を着脱自在に架設してなることを特徴とするものであり、又、請求項５記載の発明にあっては、上記フェンス板と上記枠本体とを相互に着脱可能な一対の面ファスナ材により着脱自在に設けてなることを特徴とするものである。
【０００７】
又、請求項６記載の発明は、上記フェンス板は所定の反発力をもつと共にボールや競技者の衝突時に所定の音を発生する合成樹脂性ボードからなることを特徴とするものであり、又、請求項７記載の発明は、上記フェンス板の接地面の法線に対する後傾角度は約１５度であることを特徴とするものであり、又、請求項８記載の発明は、上記枠本体の周枠材の前面に上記一方の面ファスナー材を囲繞止着し、上記フェンス板の裏面の上記一方の面ファスナー材に対向する位置に他方の面ファスナ材を止着してなることを特徴とするものである。
【発明の効果】
【０００８】
本発明は上述の如く、請求項１記載の発明にあっては、ブラインドサッカーのプレイエリアのサイドラインに沿って後傾設置される枠本体の背面側に設けられた脚枠体を折畳可能な折畳機構を設けてなるから、ブラインドサッカーのプレイエリアのサイドラインにフェンスを設置して使用することになると共に不使用時において折畳機構により脚枠体を折畳むことができ、不使用時の保管や運搬の利便性を高めることができる。
【０００９】
又、請求項２記載の発明にあっては、上記脚枠体は、上記枠本体の背面側に設けた縦枢着部を中心として左右方向に回動自在に枢着された縦杆部及び縦杆部の下端部から後方に突出する接地杆部からなる、少なくとも左右一対の脚枠からなるので、不使用時において、少なくとも左右一対の脚枠を縦枢着部を中心として折り畳み回動することにより脚枠体を容易に折畳むことができ、又、請求項３記載の発明にあっては、上記縦杆部及び接地杆部は丸パイプからなり、接地杆部の後端部にそり状の上向折曲部を形成してなるから、競技者がフェンス板に衝突した際にフェンスは円滑に後方に滑動することができ、それだけ競技者の安全性を高めることができ、又、請求項４記載の発明にあっては、上記各脚枠の間に脚枠を起立固定可能な掛杆を着脱自在に架設してなるから、各脚枠を確実に起立保持することができ、又、請求項５記載の発明にあっては、上記フェンス板と上記枠本体とを相互に着脱可能な一対の面ファスナ材により着脱自在に設けているから、上記フェンス板を上記枠本体から容易に取り付けたり、容易に取り外すことができ、使用の利便性を高めることができる。
【００１０】
又、請求項６記載の発明にあっては、上記フェンス板は所定の反発力をもつと共にボールや競技者の衝突時に所定の音を発生する合成樹脂性ボードからなるので、競技者にボールの方向と空間の感覚の判断材料を良好に伝えることができ、又、請求項７記載の発明にあっては、上記フェンス板の接地面の法線に対する後傾角度θは約１５度であるから、ボールの跳ね返り方向が良好となると共に競技者の安全な衝突状態を得ることができ、又、請求項８記載の発明にあっては、上記枠本体の周枠材の前面に上記一方の面ファスナー材を囲繞止着し、上記フェンス板の裏面の上記一方の面ファスナー材に対向する位置に他方の面ファスナ材を止着してなるから、ボールの跳ね返り性及び衝突音の程度が競技に相応しいものとすることができ、ボールの方向と空間の感覚の判断材料を一層良好に伝えることができる。
【発明を実施するための最良の形態】
【００１１】
図１乃至図６は本発明の実施の形態例を示し、Ｗはフェンスであって、ブラインドサッカーのプレイエリアのサイドラインに沿って後傾設置される枠本体１と、枠本体１の前面側に設けられたフェンス板２と、枠本体１の背面側に設けられた脚枠体３とにより構成され、この複数個のフェンスＷをブラインドサッカーのプレイエリアのサイドラインに継合して後傾設置して使用される。この枠本体１及び脚枠体３はすべてアルミニュウム材により製作されている。
【００１２】
この場合、上記枠本体１はアルミニウム４個のアルミニウム角パイプからなる周枠材１ａ、上下方向に配置された３個のアルミニウム縦杆１ｂ及びアルミニウム横杆１ｃにより骨組み形成されている。
【００１３】
４は折畳機構であって、この場合、図３の如く、上記脚枠体３を上記枠本体１の背面側に設けた縦枢着部５を中心として左右方向に回動自在に枢着された丸パイプからなる縦杆部６ａ及び縦杆部６ａの下端部から後方に突出する丸パイプからなる接地杆部６ｂ並びに縦杆部６ａの上端部と接地杆部６ｂの後端部との間に固定架設された補強杆部６ｃからなる左右一対の脚枠６・６により形成され、脚枠６・６を縦枢着軸５・５を中心としてそれぞれ後方に突設する位置と枠本体１の背面に沿った位置との間で回動自在に設けると共にボルト４ａにより縦杆部６ａを固定止着可能に設け、図６の如く、脚枠体３を折畳可能に設けて構成している。
【００１４】
又、この場合、上記縦杆部６ａは上記フェンス板２が接地面の法線に対して後傾角度が約１５度となるように形成され、更に、上記接地杆部６ｂの後端部にそり状の上向折曲部６ｄが形成されている。
【００１５】
７は掛杆であって、上記各脚枠６・６の接地杆部６ｂに掛管６ｅ・６ｅを形成し、杆体７ａの両端部に掛管６ｅ・６ｅに着脱係合可能な係合部７ｂ・７ｂを設け、かつ、枠本体１の背面部に杆体７ａに着脱係合可能な係合部１ｄ・１ｄを設け、掛管６ｅ・６ｅに杆体７ａの両端部の半円形状の係合部７ｂ・７ｂを弾性係合することにより脚枠６・６を起立固定可能に設けると共に不使用時には枠本体１の背面部の係合部１ｄ・１ｄに杆体７ａを係合することにより杆体７ａを枠本体１の背面部に装着可能に設けて構成している。
【００１６】
又、この場合、上記フェンス板２は所定の反発力をもつと共にボールや競技者の衝突時に所定の音を発生する、例えば表裏の両面板間に上下多段に横角穴をもつ構造やハニカム構造等の内部に空洞部を有するポリプロピレン樹脂等の合成樹脂性ボードにより製作され、かつ、上記枠本体１の周枠材１ａの前面に一方の面ファスナー材８ａを接着剤により囲繞止着し、上記フェンス板２の裏面の一方の面ファスナー材８ａに対向する位置に他方の面ファスナ材８ａを止着し、上記フェンス板２と上記枠本体１とを一対の面ファスナ材８ａ・８ａにより相互に着脱可能に設けて構成している。尚、上記フェンス板２として、層状の段ボール紙材を用いたり、その他の材質のボード板を用いることもできる。
【００１７】
又、この場合、上記単一個のフェンスＷを並列状に継合する継合機構９として、上記４個の枠本体１の周枠材１ａうちの上下の周枠材１ａの一方端部にそれぞれ継合パイプ９ａをボルト９ｂにより挿入固定し、隣り合うフェンスＷの上下の周枠材１ａの他方端部に継合パイプ９ａを挿入固定することにより複数個のフェンスＷを順次継合するように構成している。
【００１８】
この実施の形態例は上記構成であるから、ブラインドサッカーのプレイエリアのサイドラインに沿って後傾設置される枠本体１の背面側に設けられた脚枠体を折畳可能な折畳機構４を設けてなるから、ブラインドサッカーのプレイエリアのサイドラインにフェンスＷを設置して使用することになると共に不使用時において折畳機構４により脚枠体３を折畳むことができ、不使用時の保管や運搬の利便性を高めることができる。
【００１９】
又、この場合、上記脚枠体１は、上記枠本体１の背面側に設けた縦枢着部５を中心として左右方向に回動自在に枢着された縦杆部６ａ及び縦杆部６ａの下端部から後方に突出する接地杆部６ｂからなる、少なくとも左右一対の脚枠６・６からなるので、不使用時において、少なくとも左右一対の脚枠６・６を縦枢着部５を中心として折り畳み回動することにより脚枠体３を容易に折畳むことができ、又、この場合、上記縦杆部６ａ及び接地杆部６ｂは丸パイプからなり、接地杆部６ｂの後端部にそり状の上向折曲部６ｄを形成してなるから、競技者がフェンス板２に衝突した際にフェンスＷは円滑に後方に滑動することができ、それだけ競技者の安全性を高めることができ、又、この場合、上記各脚枠６・６の間に脚枠６・６を起立固定可能な掛杆７を着脱自在に架設してなるから、各脚枠６・６を確実に起立保持することができ、又、この場合、上記フェンス板２と上記枠本体１とを相互に着脱可能な一対の面ファスナ材８ａ・８ａにより着脱自在に設けているから、上記フェンス板２を上記枠本体１から容易に取り付けたり、容易に取り外すことができ、使用の利便性を高めることができる。
【００２０】
又、この場合、上記フェンス板２は所定の反発力をもつと共にボールや競技者の衝突時に所定の音を発生する合成樹脂性ボードからなるので、競技者にボールの方向と空間の感覚の判断材料を良好に伝えることができ、又、この場合、上記フェンス板２の接地面の法線に対する後傾角度θは約１５度であるから、ボールの跳ね返り方向が良好となると共に競技者の安全な衝突状態を得ることができ、又、この場合、上記枠本体１の周枠材１ａの前面に上記一方の面ファスナー材８ａを囲繞止着し、上記フェンス板２の裏面の上記一方の面ファスナー材８ａに対向する位置に他方の面ファスナ材８ｂを止着してなるから、ボールの跳ね返り性及び衝突音の程度が競技に相応しいものとすることができ、ボールの方向と空間の感覚の判断材料を一層良好に伝えることができる。
【００２１】
尚、本発明は上記実施の形態例に限られるものではなく、枠本体１、フェンス板２、脚枠体３、折畳機構４等の形態、構造、材質等はフェンスに応じて適宜変更して設計される。
【００２２】
以上、所期の目的を充分達成することができる。
【図面の簡単な説明】
【００２３】
【図１】本発明の実施の形態例の全体斜視図である。
【図２】本発明の実施の形態例の分離斜視図である。
【図３】本発明の実施の形態例の側断面図である。
【図４】本発明の実施の形態例の部分斜視図である。
【図５】本発明の実施の折り畳み状態の後面図である。
【図６】本発明の実施の形態例の使用状態の正面図である。
【符号の説明】
【００２４】
Ｗ    フェンス
１    枠本体
２    フェンス板
３    脚枠体
４    折畳機構
５    縦枢着部
６    脚枠
６ａ    縦杆部
６ｄ    上向折曲部
７    掛杆
８ａ    面ファスナー材
【図１】
2006192173.tif 000003
【図２】
2006192173.tif 000004
【図３】
2006192173.tif 000005
【図４】
2006192173.tif 000006
【図５】
2006192173.tif 000007
【図６】
2006192173.tif 000008